(57)【要約】本発明は、２房の髪（３１、３１’）を反対方向に引くことにより、顔の容貌を引き締めるためのヘアースタイリングアクセサリーを提供する。本発明によれば、前記アクセサリーは、同方向（Ｌ３）に沿って互いに向かい合って配置された、環（１）と一体の２個の把持部（３１Ａ、３１Ｂ）を含み、その方向に沿って逆向きに引かれる２房の髪（３１、３１’）を固定する。好ましくは、前記アクセサリーは、複数対の髪の房（５１、５１’；７１、７１’；９１、９１’）を固定する様に、方向Ｌ５、Ｌ７、Ｌ９に沿って向かい合う複数対の把持部（５１Ａ、５１Ｂ〜９１Ａ、９１Ｂ）を含み、２個の向かい合う前記把持部の配置に対応する方向（Ｌ５、Ｌ７、Ｌ９）に沿って、各対の２房を逆向きに引く。
2006513772.tif 000002
【特許請求の範囲】
【請求項１】
２房の髪（３１、３１’；３２、３２’）を反対方向に引くことにより、顔の容貌を引き締めるためのヘアースタイリングアクセサリーであって、同方向（Ｌ３）に沿って互いに向かい合って配置された、基盤（１、２）と一体の２個の把持部（３１Ａ、３１Ｂ；３２Ａ、３２Ｂ）を含み、その方向に沿って逆向きに引かれる２房の髪（３１、３１’；３２、３２’）を、前記基盤（１、２）を髪の頭部上の所定の位置に保持しつつ固定する様にすることを特徴とするヘアースタイリングアクセサリー。
【請求項２】
前記基盤は、複数対の髪の房（５１、５１’；７１、７１’；９１、９１’）を固定する様に、方向Ｌ５、Ｌ７、Ｌ９に沿って向かい合う複数対の把持部（５１Ａ、５１Ｂ〜９１Ａ、９１Ｂ；５２Ａ、５２Ｂ〜９２Ａ、９２Ｂ）を含み、２個の向かい合う前記把持部の配置に対応する方向（Ｌ５、Ｌ７、Ｌ９）に沿って、各対の２房を逆向きに引くことを特徴とする請求項１に記載のヘアースタイリングアクセサリー。
【請求項３】
前記把持部（３１Ａ、３１Ｂ）は、舌状部（１１）を含有し、前記舌状部（１１）は、髪の房（３１、３１’）をヒンジ（１３）の周りに巻きつけることを可能にする開位置と、髪の房を固定する閉位置との間で、前記基盤（１）に対してヒンジ（１３）の周囲で旋回することを特徴とする請求項１または２のいずれかに記載のヘアースタイリングアクセサリー。
【請求項４】
前記舌状部（１１）は、前記基盤（１）と一体の爪（１７）によって閉位置に保持されることを特徴とする請求項３に記載のヘアースタイリングアクセサリー。
【請求項５】
前記把持部（３２Ａ、３２Ｂ）は、前記髪の房（３２、３２’）を滑斜路の狭い部分（２５Ａ、２５Ｂ）に押し込む様に、補完的な形態の締め具部材（２３Ａ、２３Ｂ）をガイドする滑斜路（２１Ａ、２１Ｂ）を含有することを特徴とする請求項１または２に記載のヘアースタイリングアクセサリー。
【請求項６】
前記締め具部材は、その開口部（２９Ａ、２９Ｂ）に挿入されているスタッド（２７Ａ、２７Ｂ）によって前記滑斜路の内側に保持されることを特徴とする請求項５に記載のヘアースタイリングアクセサリー。
【請求項７】
前記基盤および前記把持部は、射出成形プラスチック材料で作成されていることを特徴とする請求項１〜６のいずれかに記載のヘアースタイリングアクセサリー。
【請求項８】
前記基盤（１）および前記把持部（３１Ａ、３１Ｂ〜９１Ａ、９１Ｂ）は、射出成形プラスチック材料で作成された一体型部材を形成することを特徴とする請求項７に記載のヘアースタイリングアクセサリー。
【請求項９】
前記基盤（１、２）は、環状、矩形、三角形、楕円形または十字形であることを特徴とする上記請求項のいずれかに記載のヘアースタイリングアクセサリー。
【発明の詳細な説明】
【技術分野】
【０００１】
本発明は、２房の髪を同方向に沿って反対向きに引くことにより、顔の容貌を引き締めるためのヘアースタイリングアクセサリーに関する。
【背景技術】
【０００２】
顔の容貌を引き締めるためのヘアースタイリングアクセサリーは、例えば特許文献１（１９７１年９月１７日発行）に記載されている。同刊行物によれば、同ヘアースタイリングアクセサリーは、留め具手段を含み、これはヘアークリップ、または同留め具手段の中央に作られた開口部に髪の房を通すことのいずれかによって、頭上に固定される。締め具は、留め具手段にそれ自身の一端を引き留め、かつ使用者の額の頂部の種々の点に、可逆的接着によって皮膚に固定することを意図するものである。留め具手段と皮膚への接着点の間にある締め具によって加えられる張力により、ヘアースタイリングアクセサリーが顔の容貌を引き締めることを可能にする。しかしながら、かかる締め具の使用は、かつらを着用することによってヘアースタイリングアクセサリーを隠すことを必要とする。
【０００３】
２房の髪を引くことにより顔の容貌を引き締めるためのヘアースタイリングアクセサリーは、例えば特許文献２（１９５０年５月３０日発行）に記載されている。同刊行物によれば、このヘアースタイリングアクセサリーは、髪の房を保持する手段を備えた小型の棒を含み、使用者は髪の房をこの棒に対して引く。棒自体は櫛または旋回式舌状部によって髪に固定される。このタイプのアクセサリーを用いれば、顔の容貌は髪の房自体によって引き締められるので、かつらを着用することによってヘアースタイリングアクセサリーを隠す必要はない。しかし、このアクセサリーの、棒に対して髪の房を保持する手段が、髪に対して棒自身を保持する手段とは異なるという設計は、複雑に見える上、張力を負荷するのに用いる髪の房と、固定に用いる髪の間の力のバランスを、長時間にわたって（ｄａｎｓ  ｌｅ  ｔｅｍｐｓ）保証するものではない。また、複数の点で顔の容貌を引き締めるためには、複数の棒を提供することが必要であることが明らかである。
【０００４】
２房の髪を同方向に沿って反対向きに引くことにより、顔の容貌を引き締めるためのヘアースタイリングアクセサリーは、例えば特許文献３（１９４３年１月５日発行）に記載されている。同刊行物によれば、このヘアースタイリングアクセサリーは、髪の房を固定する２個の把持部と、それらを使用者の頭部の相対する２点（例えば左右のこめかみの近く）に配置すると、それらの間に張力を加える手段を有する。より詳細には、その手段は、２個の把持部各々に紐で接続された固定箱からなる。固定箱は、２個の髪把持部間に加わる張力を調整するために、２本の紐のうち１本を固定することを可能にする。紐および固定箱に加えて、髪の把持部も小型であり、髪の頭部に隠され得て、かつらを着用することが必要でない程である。頭部の表面に対して固定箱を平坦に保持するために、髪の房は、こめかみの領域で反対向きに紐で引かれるので、その髪の房が、顔の容貌を引き締め、また箱（これによって、２個の把持部間の張力が創出される）を所定の位置に保持することを可能にする。しかし、紐の張力を固定箱によって調整するのは不便であると言う事実に鑑みて、このタイプのヘアースタイリングアクセサリーは、２房の髪を反対向きに引くことを可能にする把持部が一対のみのものに限定されることは明らかである。
【０００５】
【特許文献１】フランス国特許第２０７１８２６号明細書
【特許文献２】米国特許第２，５０９，６５８号明細書
【特許文献３】米国特許第２，３０７，７１４号明細書
【発明の開示】
【発明が解決しようとする課題】
【０００６】
本発明の目的の一つは、ヘアースタイリングアクセサリーを、顔の容貌を引き締める様に引く髪の房が、把持部を髪の頭部に対して所定の位置に固定しておくのにも役立ち、その上ヘアースタイリングアクセサリーが目立たない状態にあって、かつらを着用する必要なしに使用され得る設計を維持しつつ、使用者によるその位置決めを簡単にする様に設計することである。
【課題を解決するための手段】
【０００７】
従って本発明は、２房の髪を反対向きに引くことにより、顔の容貌を引き締めるためのヘアースタイリングアクセサリーであって、同方向に沿って互いに向かい合って配置された、基盤と一体の２個の把持部を含み、その各々が、その方向に沿って逆向きに引かれる２房の髪の一方を、前記基盤を髪の頭部上の所定の位置に保持しつつ固定する様にすることを特徴とするヘアースタイリングアクセサリーに関する。
【０００８】
互いに向かい合う２個の把持部を備えた基盤（例えば環）は、特に固定箱および張り紐（固定箱と各髪把持部の間の）の削除によって、本発明のヘアースタイリングアクセサリーの設計を簡単にする。基盤上の互いに向かい合う２個の把持部により、使用者は、髪の房を引き、それを対応する把持部に固定することを一動作で行うことができる。その結果使用者は、本発明のヘアースタイリングアクセサリーを使用することが容易かつ自然であることを見出す。
【発明を実施するための最良の形態】
【０００９】
本発明の有利な態様によれば、基盤が、複数対の髪の房を固定する様に、ある方向に沿って向かい合う把持部の対を複数含み、同じ対の２房が、２個の向かい合う把持部の方向に沿って逆向きに引かれる。それ故、本発明によるこのヘアースタイリングアクセサリーは、異なる引張り点から顔の容貌を引き締めることを可能にする。
【００１０】
更なる利点は、図面で説明される発明の二つの態様の記載から明らかになる。
【００１１】
上記した様に、本発明は、２房の髪を反対向きに引くことにより、顔の容貌を引き締めるためのヘアースタイリングアクセサリーに関する。
【００１２】
本発明の第１の態様（図１および２−Ａ〜２−Ｃで示される）によれば、アクセサリーは、同方向Ｌ３に沿って互いに向かい合って配置された、頭蓋冠の環１と一体の２個の把持部３１Ａおよび３１Ｂを含み、その方向Ｌ３に沿って、２房の髪３１および３１’を逆向きに固定する様にしている。この態様では、頭蓋冠のドーム１は、厚さ数ｍｍの平らなディスクであり、髪の房の通過のための中央の開口部４を有し、頭頂部に置かれた環１が目立たぬように覆われることを可能にする。例えば、頭蓋冠のドーム１は、４０ｍｍの直径および４ｍｍの厚さを有する。
【００１３】
同方向に沿って逆向きに髪の房を固定するために使用される把持部３１Ａおよび３１Ｂは、図２−Ｂおよび図２−Ｃに示される様に、舌状部１１を含み、これは、各髪の房３１または３１’が舌状部１１の周囲に巻かれる開位置から、舌状部１１が爪１７によって閉じられた状態にあり、巻かれた髪の房を固定する閉位置まで推移する様に、頭蓋冠のドーム１に対してヒンジ１３の周りを旋回する。
【００１４】
好ましくは、頭蓋冠のドーム１は、複数対の髪の房を複数の方向に固定するために、向かい合う複数対の把持部（５１Ａおよび５１Ｂ、７１Ａおよび７１Ｂ、並びに９１Ａおよび９１Ｂ）を含み、各対の２房が、それぞれ同方向Ｌ５、Ｌ７およびＬ９に沿って逆向きに引かれる。
【００１５】
この第１態様によるヘアースタイリングアクセサリーの位置決めをするために、使用者は髪を８部分に分割し、その８部分の髪を保持するために２個のクリップを使用する。その時使用者は、非常に細い髪の房を、例えば約１５本の髪（その根元が顔の皮膚から凡そ数ｃｍにあるもの）を用いて形成する。図３に示される様に、房３１は、額の中央部から顔の容貌を引き締めるために形成され、房７１は、右眉の領域で引っ張りを行うために形成され、房５１は、左眉の領域で引っ張りを行うために形成され、房９１は、使用者の２つのこめかみの各々で引っ張りを行うために形成される。
【００１６】
上記の房３１、７１、５１および９１の各々に関連して、房は同方向に沿うが、頭部の頂点に対して反対向きに形成される。それ故房３１’は、頭部の背部に、根元が額の中央部付近にある房３１と逆向きに、同方向に沿って形成される。同様に、房７１’は、頭部の左背部に、根元が右眉付近にある房７１と逆向きに、同方向に沿って形成され、同様に、房５１’は、頭部の右背部に、根元が左眉付近にある房５１と逆向きに、同方向に沿って形成される。
【００１７】
その後使用者は、ヘアースタイリングアクセサリーを頭頂部に配置し、把持部３１Ｂおよび３１Ａ（環１上に、同方向Ｌ３に沿って互いに向かい合って配置されている）それぞれの、開位置にある舌状部１１の周りに、額の中央部および頭部の背部に由来する髪の房３１および房３１’を巻き始める。当然ながら、使用者は、額上でおよび頭部の背部で感ずる張力を、対応する髪の房３１および房３１’を高または低程度に引いて調整し、舌状部１１を把持部３１Ａおよび３１Ｂの爪１７の下に折り込むことにより固定する。使用者は、右眉および頭部の左背部に由来する房７１および房７１’、左眉および頭部の右背部に由来する房５１および房５１’、並びに使用者の２つのこめかみに由来する房９１および房９１’に関して同様に続ける。
【００１８】
使用者が髪の房３１または３１’を固定用把持部３Ａおよび３Ｂの舌状部１１の周囲に巻いてしまえば、対応する方向Ｌ３に沿って張力を増加するために、２個の向かい合う把持部の間に加わる張力を、把持部のいずれかによって固定された房の開放端を引くことによって調整し得ることは注目されて良い。
【００１９】
この本発明の第１態様によるヘアースタイリングアクセサリーは、使用することが簡単かつ自然である。何故なら、２つの房３１Ａおよび３１Ｂ（使用者が同方向Ｌ３に沿って逆向きに引き、環と一体の２個の向かい合う把持部によって固定されている）が、顔の容貌を引き締め、また使用者の頭上の安定な位置で、環を頭髪に保持させるためである。更に、根元を顔の複数点（例えばこめかみ、眉および額の中央部の領域）に有する房を引くことにより、向かい合う複数対の把持部が、顔の容貌を引き締めることを可能にする。頭蓋冠のドームを頭頂部に配置することと、そのサイズが小さいことで、使用者の頭部において、かつらの着用を必要とせずに、ヘアースタイリングアクセサリーを隠すことが容易に可能となる。
【００２０】
使用者は、固定把持部を一つずつ開いて髪の房を緩めることにより、同じく簡単かつ自然な仕方でヘアースタイリングアクセサリーを除去する。
【００２１】
図４に例示される本発明の第２の態様は、髪の房を固定する把持部３２Ａおよび３２Ｂが、滑斜路２１Ａまたは２１Ｂ（滑斜路２１Ａまたは２１Ｂに対して補完的な形態を有し、それらの狭い部分２５Ａまたは２５Ｂに髪の房を押し込むための締め具部材２３Ａまたは２３Ｂをガイドする）を有するという点で、先の態様と相違する。
【００２２】
好ましくは、締め具部材２３Ａまたは２３Ｂが、その開口部２９Ａまたは２９Ｂに挿入された、滑斜路２１Ａまたは２１Ｂと一体のスタッド２７Ａまたは２７Ｂによって、滑斜路の内側に保持される。この態様によれば、使用者は、滑斜路の狭い部分から締め具部材を緩めて、締め具部材の周囲と、この締め具部材と滑斜路の間に髪の房３２または３２’を巻く。使用者は、髪の房を滑斜路の狭い部分を通して再び出し、その後、この狭い部分に締め具部材を滑り込ませて、締め具と滑斜路の間に髪の房を固定する。
【００２３】
本発明の第１または第２の態様では、好ましくは、頭蓋冠のドーム１または２は、射出成形プラスチック材料で作成された一体型部材である。例えば、ポリプロピレンその他の熱可塑性プラスチック材料を、加熱し、次いで高温下でそれを型に射出して用いる。好ましくは、第２の態様の締め具部材も射出成形プラスチック材料で作成された部材であり、また第１の態様によれば、好ましくは、種々の向かい合う把持部の対のみならず、頭蓋冠のドーム１も、射出成形プラスチック材料で作成された一体型部材を形成する。図示された例では、舌状部１１のヒンジ１３は、プラスチック材料の薄膜化によって形成される。
【００２４】
環状基盤を矩形、三角形、楕円形または十字形の板に置換することが提供される。
【００２５】
本発明のアクセサリーは、様々な髪型（長い髪、縛り髪等）に対して使用でき、必要に応じて、環を上手く隠すためやや膨らませた髪であっても、そうでなくてもよい。本ヘアースタイリングアクセサリーの位置決めの容易さは、顔の容貌を即座に、一時的に、また臨時の仕方で引き締めることを可能にする。かくしてそれは、例えば目の周囲や額の皺、顔の筋肉の緩みなどの、顔の老化についての種々の効果を可能にする。
【図面の簡単な説明】
【００２６】
【図１】本発明の第１の態様のヘアースタイリングアクセサリーの透視図である。
【図２−Ａ】図１のヘアースタイリングアクセサリーの平面図である。
【図２−Ｂ】図２−Ａに示すヘアースタイリングアクセサリーの、ＡＡに沿った断面を示し、髪の房を固定する把持部は開位置にある。
【図２−Ｃ】図２−Ａに示すヘアースタイリングアクセサリーの、図２−Ｂに示した、ＡＡに沿った断面を示し、髪の房を固定する把持部は閉位置にある。
【図３】使用者の頭部の複数点で引かれる複数対の髪の房の模式図である。
【図４】本発明の第２の態様のヘアースタイリングアクセサリーの透視図である。
【図１】
2006513772.tif 000003
【図２−Ａ】
2006513772.tif 000004
【図２−Ｂ】
2006513772.tif 000005
【図２−Ｃ】
2006513772.tif 000006
【図３】
2006513772.tif 000007
【図４】
2006513772.tif 000008
【国際調査報告】
2006513772.tif 000009
2006513772.tif 000010
2006513772.tif 000011
2006513772.tif 000012
2006513772.tif 000013
2006513772.tif 000014